【手続補正書】
【提出日】平成16年6月23日(2004.6.23)
【手続補正１】
【補正対象書類名】明細書
【補正対象項目名】特許請求の範囲
【補正方法】変更
【補正の内容】
【特許請求の範囲】
【請求項１】
印刷後の仕上げ装置であって、
垂直に配向されたフレームと、
前記フレームに取り付けられた第１の出力ビンと、
前記第１の出力ビンに隣接して前記フレームに取り付けられたシートフリッパであって、シートを前記フリッパの中に受け入れるときにシートが通る受取りポートと、前記受取りポートの反対側にあり、前記第１の出力ビンに隣接しており、シートを前記第１の出力ビンに排出するときにシートが通る排出ポートと、シートをさらなる処理のためにルーティングするときにシートが通るルーティングポートとを有し、印刷装置からシートを受け取り、前記シートを、前縁を頭にして前記第１の出力ビンに排出するか、または、前記シートを、後縁を頭にして前記ルーティングポートを介してルーティングするように構成される、シートフリッパと、
前記第１の出力ビンの下側において前記フレームに取り付けられている第２の出力ビンと、
前記第２の出力ビンに隣接し、前記フリッパの下側において前記フレームに取り付けられたシートアキュムレータであって、前記フリッパの前記ルーティングポートを介してルーティングされるシートを前記アキュムレータの中に受け入れるときにシートが通る受取りポートと、シートのスタックを前記第２の出力ビンに排出するときにシートのスタックが通る排出ポートと、綴じるためにシートのスタックを移動させるときにシートのスタックが通る綴じ込みポートとを有し、シートを積み重ねてスタックにし、前記綴じ込みポートを介して前記スタックを前後に移動させ、前記スタックを前記排出ポートを介して前記第２の出力ビンに排出するように構成される、シートアキュムレータと、
前記フレームに取り付けられるバインダと、
を備え、
前記バインダが、前記アキュムレータの綴じ込みポートに隣接し、互いに対向して配置された一対の加熱されたプラテンであって、前記アキュムレータ内のシートの前記スタックの縁を前記プラテンの間に挿入または前記プラテンの間から引き抜くことができる第１の開位置と、熱および圧力が前記スタックの縁に加えられる第２の圧縮位置との間で移動することができる、一対の加熱されたプラテンを備える、
ことを特徴とする印刷後の仕上げ装置。
【請求項２】
前記フリッパと前記アキュムレータとの間において前記フレームに取り付けられた媒体シート経路をさらに備え、前記経路は、シートを前記経路中に受け入れるためにフリッパ・ルーティングポートに隣接した受取りポートと、前記アキュムレータの受取りポートに隣接し、シートを前記アキュムレータに排出するときにシートが通る排出ポートとを有し、前記フリッパからシートを受け取り、前記シートを前記アキュムレータに移すように構成されることを特徴とする請求項１に記載の印刷後の仕上げ装置。
【請求項３】
印刷後の仕上げ装置であって、
フリッパ・モジュールと、
前記フリッパ・モジュールからの媒体経路の下流にあるアキュムレータ・モジュールと、
前記アキュムレータ・モジュールに連結されて動作し、スタックのシートに施された画像形成材料を再活性化することによりスタックのシートを綴じるよう動作するバインダ・モジュールと、
前記アキュムレータ・モジュールからの前記媒体経路の下流にある出力ビンと、
を備え、前記フリッパ・モジュールは、シートを、前縁を頭にして受け取り、かつ後縁を頭にして排出するように動作し、前記アキュムレータ・モジュールは、前記フリッパ・モジュールから排出されたシートを積み重ねてスタックにし、綴じるために前記スタックを前記バインダ・モジュールに渡し、綴じられたスタックを前記出力ビンに排出するように動作することを特徴とする印刷後の仕上げ装置。
【請求項４】
印刷後の仕上げ装置であって、
ベースおよび前記ベースから垂直に延出したアプライトを有する支持構造体と、
前記アプライトに取り付けられた第１の出力ビンと、
前記第１の出力ビンの下側において前記アプライトに取り付けられた第２の出力ビンと、
前記第１の出力ビンに隣接して前記アプライトに取り付けられた第１のモジュールと、
前記第１のモジュールの下側において前記アプライトに取り付けられた第２のモジュールと、
前記第２のモジュールの下側において前記第２の出力ビンに隣接して前記アプライトに取り付けられた第３のモジュールと、
を備え、
前記第１のモジュールは、媒体シートを前記第１の出力ビンに出力するときに媒体シートが通る第１の媒体経路と、媒体シートを前記第２のモジュールに出力するときに媒体シートが通る第２の媒体経路とを有し、
前記第２のモジュールは、媒体シートが前記第１のモジュールから受け入れられ、積み重ねられ、前記第３のモジュールに渡され、前記第２の出力ビンに出力されるときに媒体シートが通る第３の媒体経路を有し、
前記第３のモジュールは、バインダであって、プラテンと、前記プラテンに連結されたプレスとを備えるバインダを有し、前記プラテンは、プレスを行うとき、前記第２のモジュールによって渡される媒体シートから前記プラテンが離れる第１の位置と、前記プラテンが前記媒体シートを圧縮する第２の位置との間で移動することができる、
ことを特徴とする印刷後の仕上げ装置。
【請求項５】
前記第１および第２のモジュール間において前記アプライトに取り付けられる第４のモジュールをさらに備え、前記第４のモジュールは、媒体シートを前記第１のモジュールから受け取り前記第２のモジュールに出力するときに媒体シートが通る第４の媒体経路を有することを特徴とする請求項４に記載の印刷後の仕上げ装置。
【請求項６】
前記プラテンは、前記プラテンが前記第２の位置にあるときに前記媒体シートを圧縮および加熱する加熱されたプラテンを備えることを特徴とする請求項４に記載の印刷後の仕上げ装置。
【請求項７】
前記プラテンは、前記プラテンが前記第２の位置にあるとき前記媒体シートを圧縮および加熱する一対の加熱されたプラテンを備えることを特徴とする請求項４に記載の印刷後の仕上げ装置。
【請求項８】
文書作成システムであって、
印刷装置と、
前記印刷装置に接続されて動作する印刷後の仕上げ装置とを備え、
前記印刷後の仕上げ装置が、
フリッパ・モジュールと、
前記フリッパ・モジュールからの媒体経路の下流にあるアキュムレータ・モジュールと、
前記アキュムレータ・モジュールに連結されて動作し、スタックのシートに施される画像形成材料を再活性化することによりスタックのシートを綴じるように動作するバインダ・モジュールと、
前記アキュムレータ・モジュールからの前記媒体経路の下流にある出力ビンと、
を備え、
前記フリッパ・モジュールは、シートを、前縁を頭にして受け取り、かつ後縁を頭にして排出するように動作し、アキュムレータ・モジュールは、前記フリッパ・モジュールから排出されたシートを積み重ねてスタックにし、綴じるために前記スタックを前記バインダ・モジュールに渡し、綴じられたスタックを前記出力ビンに排出する、
ことを特徴とする文書作成システム。
【請求項９】
印刷後の仕上げ装置であって、
垂直に配向されたフレームと、
前記フレームに取り付けられた第１の出力ビンと、
前記第１の出力ビンに隣接して前記フレームに取り付けられたシートフリッパであって、シートを前記フリッパの中に受け入れるときにシートが通る受取りポートと、前記受取りポートの反対側にあり、前記第１の出力ビンに隣接しており、シートを前記第１の出力ビンに排出するときにシートが通る排出ポートと、シートをさらなる処理のためにルーティングするときにシートが通るルーティングポートとを有し、印刷装置からシートを受け取り、前記シートを、前縁を頭にして前記第１の出力ビンに排出するか、または、前記シートを、後縁を頭にして前記ルーティングポートを介してルーティングするように構成される、シートフリッパと、
前記第１の出力ビンの下側において前記フレームに取り付けられている第２の出力ビンと、
前記第２の出力ビンに隣接し、前記フリッパの下側において前記フレームに取り付けられたシートアキュムレータであって、前記フリッパの前記ルーティングポートを介してルーティングされるシートを前記アキュムレータの中に受け入れるときにシートが通る受取りポートと、シートのスタックを前記第２の出力ビンに排出するときにシートのスタックが通る排出ポートと、綴じるためにシートのスタックを移動させるときにシートのスタックが通る綴じ込みポートとを有し、シートを積み重ねてスタックにし、前記綴じ込みポートを介して前記スタックを前後に移動させ、前記スタックを前記排出ポートを介して前記第２の出力ビンに排出するように構成される、シートアキュムレータと、
前記フレームに取り付けられるバインダと、
を備え、
前記バインダが、
前記アキュムレータの綴じ込みポートに隣接し、互いに対向して配置された一対の加熱されたプラテンであって、前記アキュムレータ内のシートの前記スタックの縁を前記プラテンの間に挿入または前記プラテンの間から引き抜くことができる第１の開位置と、熱および圧力が前記スタックの縁に加えられる第２の圧縮位置との間で移動することができる、一対の加熱されたプラテンと、
前記一対の加熱されたプラテンの第１のプラテンからなる静止ベースと、
前記一対の加熱されたプラテンの第２のプラテンからなる可動キャリッジと、
前記キャリッジの中央に配置されたリードスクリューを介して前記キャリッジに連結されて動作する可逆モータと、
を備え、前記モータを駆動すると、前記キャリッジが前記キャリッジの外側端部に配置されたポストに沿って前記第１の開位置と前記第２の圧縮位置との間を移動する、
ことを特徴とする印刷後の仕上げ装置。
【請求項１０】
印刷後の仕上げ装置であって、
ベースおよび前記ベースから垂直に延出したアプライトを有する支持構造体と、
前記アプライトに取り付けられた第１の出力ビンと、
前記第１の出力ビンの下側において前記アプライトに取り付けられた第２の出力ビンと、
前記第１の出力ビンに隣接して前記アプライトに取り付けられた第１のモジュールと、
前記第１のモジュールの下側において前記アプライトに取り付けられた第２のモジュールと、
前記第２のモジュールの下側において前記第２の出力ビンに隣接して前記アプライトに取り付けられた第３のモジュールとを備え、
前記第１のモジュールは、媒体シートを前記第１の出力ビンに出力するときに媒体シートが通る第１の媒体経路と、媒体シートを前記第２のモジュールに出力するときに媒体シートが通る第２の媒体経路とを有し、
前記第２のモジュールは、媒体シートが前記第１のモジュールから受け入れられ、積み重ねられ、前記第３のモジュールに渡され、前記第２の出力ビンに出力されるときに媒体シートが通る第３の媒体経路を有し、
前記第３のモジュールは、バインダであって、一対の加熱されたプラテンと、前記プラテンに連結されたプレスとを備えるバインダを有し、前記プラテンは、プレスを行うとき、前記第２のモジュールによって渡される媒体シートから前記プラテンが離れる第１の位置と、前記プラテンが前記媒体シートを圧縮する第２の位置との間で移動することができ、
前記プレスが、
前記一対の加熱されたプラテンの第１のプラテンで構成される静止ベースと、
静止プレートと、
前記一対の加熱されたプラテンの第２のプラテンで構成され、前記ベースと前記プレートの間に配置される可動キャリッジと、
前記ベースから前記キャリッジの中央を通って前記プレートに向けて延びるリードスクリューと、
を備え、前記リードスクリューを第１の方向に回転させると前記キャリッジが前記第１の位置に向けて移動し、前記リードスクリューを前記第１の方向と反対の第２の方向に回転させると前記キャリッジが前記第２の位置に向けて移動する、
ことを特徴とする印刷後の仕上げ装置。